【事件の表示】
　特許第２８９５２２９号「ガスサンプルチャンバー」の請求項１ないし３に係る特許に対する特許異議の申立てについて、次のとおり決定する。
【結　論】
　訂正を認める。
　特許第２８９５２２９号の請求項１ないし３に係る特許を維持する。
【理　由】
（１）手続の経緯
　特許第２８９５２２９号に係る発明についての出願は、平成３年１１月２５日に特許出願され、平成１１年３月５日にその発明について特許の設定登録がされた。その後、その特許について異議申立人宮城真智子より特許異議の申立てがなされ、取消理由通知がなされ、その指定期間内である平成１２年９月２２日に訂正請求がなされた後、訂正拒絶理由が通知され、これに対して手続補正書が提出されたものである。
（２）訂正の適否についての判断
　ア．訂正請求に対する補正の適否について
　この補正は、訂正請求書に添付した訂正明細書の特許請求の範囲の請求項１の文頭の「放射線源からの放射線を放射線源からの放射線をガスサンプル内を通して」を「放射線源からの放射線をガスサンプル内を通して」と補正するもので、明らかな誤記の訂正であって訂正請求書の要旨を変更するものではなく、特許法第１２０条の４第３項において準用する同法第１３１条第２項の規定に適合する。
　イ．訂正の内容
　特許権者が求めている訂正は、明細書の特許請求の範囲を訂正するもので、
次の訂正事項ａ〜ｃよりなるものである。
　ａ．請求項１の「ガスサンプルの分子を該管内の空間へ自由に出入りさせ」を「周囲圧のガスサンプルの分子を該管内の空間へ自由に出入りさせ」と訂正し、「所定のサイズより小さい空気中の粒子を該シートを通して該管内の空間内へ拡散させる」という記載を「所定のサイズより小さい空気中の粒子を周囲圧で該シートを通して該管内の空間内へ拡散させる」と訂正する。
　ｂ．請求項１の「少くとも１つの孔」を「複数の孔」と訂正し、「該少くとも１つの孔に半透膜のシートが張設されており」を「該複数の孔の各々に半透膜のシートが張設されており」と訂正する。
　ｃ．請求項１の「その一端に導入された放射線を多重反射させることによって効率的に他端へ導く内向きの正反射表面」を「その一端に導入された放射線を多重反射させることによって効率的に該管内の空間を通して他端へ導く内向きの正反射表面」と訂正する。
　ウ．訂正の目的の適否、新規事項の有無及び拡張・変更の存否
　訂正事項ａ、ｂは特許請求の範囲の減縮に該当し、訂正事項ｃは、明りょうでない記載の釈明に該当する。訂正事項ａ〜ｃは、いずれも、新規事項の追加に該当せず、実質的に特許請求の範囲を拡張又は変更するものではない。
　エ、独立特許要件
　（i）．訂正明細書の請求項１−３に係る発明は、その請求項１−３に記載された次のとおりのものである。
　１．放射線源からの放射線をガスサンプル内を通して能率的に導くガスサンプルチャンバーであって、
　ガス密材料で形成された細長い管からなり、該管は、その一端に導入された放射線を多重反射させることによって効率的に該管内の空間を通して他端へ導く内向きの正反射表面を有する壁を有し、該管は、その両端の間において該管の前記壁に穿設された複数の孔を有し、該複数の孔の配置及び大きさは、周囲圧のガスサンプルの分子を該管内の空間へ自由に出入りさせ、しかもなお、放射線の、前記正反射表面からの多重反射を可能にするように定められており、該複数の孔の各々に半透膜のシートが張設されており、該半透膜のシートは、所定のサイズより小さい空気中の粒子を周囲圧で該シートを通して該管内の空間内へ拡散させることができるが、前記所定のサイズより大きい空気中の粒子が管内の空間に進入するのを阻止する特性を有することを特徴とするガスサンプルチャンバー。」
　２．前記正反射表面上でガスサンプルが凝縮するのを防止するために該正反射表面をガスサンプルの露点より高い温度に加熱するための加熱手段を有することを特徴とする請求の範囲第１項に記載のガスサンプルチャンバー。
　３．前記所定のサイズは、０．１μであることを特徴とする請求の範囲第１項に記載のガスサンプルチャンバー。
　(ii)．取消理由の概要は、請求項１に係る発明は、刊行物１−３に記載された発明に基いて、請求項２に係る発明は、刊行物１−４に記載された発明に基いて、請求項３に係る発明は、刊行物１−３に記載された発明に基いて、それぞれ当業者が容易に発明をすることができたものである、というものである。
　引用した刊行物１−４は次のものである。
刊行物１　米国特許第５，０６０，５０８号明細書（甲第２号証）
刊行物２　米国特許第５，０５３，７５４号明細書（甲第１号証）
刊行物３　実公昭６０−３２５９４号公報（甲第３号証）
刊行物４　特公昭６４−９５６９号公報（甲第４号証）
　
　刊行物１の第３欄、９−１７行、２６−３３行、３９−４４行、５８−６５行、第４欄、１４−２５行等の記載からみて、刊行物１には、
　「放射線源（source of radiation12）からの放射線をガスサンプル内を通して能率的に導くガスサンプルチャンバーであって、ガス密材料で形成された細長い通路(passage20)からなり、該通路は、その一端に導入された放射線を多重反射させることによって効率的に該管内の空間を通して他端へ導く内向きの正反射表面を有する壁を有し、該通路は、その両端の間において該通路の前記壁に穿設された複数の孔(passage30)を有し、該複数の孔の配置及び大きさは、ガスサンプルの分子を該通路内の空間へ自由に出入りさせ、しかもなお、放射線の、前記正反射表面からの多重反射を可能にするように定められているガスサンプルチャンバー」
が記載されている、といえる。また、前記細長い通路は、溝が形成された平面を有する２個の半殻体（first half 50、second half 52）で構成されることが記載されている。
　刊行物２の第１欄、４−１０行、第８欄、２９−３５行、４１−５８行、第９欄、１３−３９行等の記載からみて、刊行物２には、
　「放射線源(source12)からの放射線をガスサンプル内を通して能率的に導くガスサンプルチャンバーであって、ガス密材料で形成された細長い通路(passage20)からなり、該通路は、その一端に導入された放射線を効率的に該管内の空間を通して他端へ案内するようにされており、該通路は、その両端の間において該通路の壁に穿設された複数の孔(passage30)を有し、該複数の孔の配置及び大きさは、周囲圧のガスサンプルの分子を該通路内の空間へ自由に出入りさせ、しかもなお、放射線の、前記他端への案内を可能にするように定められており、該複数の孔に半透膜のシート(membrane60)が張設されており、該半透膜のシートは、所定のサイズより小さい空気中の粒子を周囲圧で該シートを通して該通路内の空間内へ拡散させることができるが、前記所定のサイズより大きい空気中の粒子が通路内の空間に進入するのを阻止する特性を有するものである、ガスサンプルチャンバー」
が記載されている、といえる。また、前記細長い通路は、２個の半殻体（two  identical halves 50,52）で構成されることが記載されている。
　刊行物３には、内壁は光を反射する構造であり両端には、光を透過する窓を有し、被測定ガスが流れる流入口及び流出口が設けられた、筒状の測定セルを具備するガス分析計が記載されている。
　刊行物４には、結露防止のためにガスサンプルチャンバーに加熱手段を設けることが記載されている。
　(iii)．訂正明細書の請求項１に係る発明（以下、「訂正発明１」という。）と刊行物１−４に記載された発明とを比較すると、刊行物１の細長い通路は周囲圧によりガスサンプルの分子を出入りさせるものと認められるが、この通路は、溝が形成された平面を有する２個の半殻体で構成され、訂正発明１のような細長い管ではない。また、刊行物１には、複数の孔の各々に半透膜のシートが張設されており、該半透膜のシートは、所定のサイズより小さい空気中の粒子を周囲圧で該シートを通して該管内の空間へ拡散させることができるが、前記所定のサイズより大きい空気中の粒子が管内の空間に進入するのを阻止する特性を有するものである、ことについての記載はない。
　刊行物２には、複数の孔に半透膜のシートが張設されており、該半透膜のシートは、所定のサイズより小さい空気中の粒子を該シートを通して該通路内の空間へ拡散させることができるが、前記所定のサイズより大きい空気中の粒子が通路内の空間に進入するのを阻止する特性を有するものである、ことが記載されているが、通路を正反射表面を有する壁を有する細長い管とすることについては記載がない。
　すなわち、刊行物１，２にはガスサンプルチャンバーを細長い管で構成することについて何ら記載されておらず、両刊行物の記載に基づいて訂正発明１を得ることが当業者に容易である、とはいえない。
　ガスサンプルチャンバーを細長い管で構成することは、刊行物３に記載されているが、このものは周囲圧によりガスサンプル分子を管内へ出入りさせるものではない。訂正発明１は、単にガスサンプルチャンバーを細長い管で構成する、というものではなく、管壁に穿設された複数の孔の配置及び大きさを、周囲圧のガスサンプルの分子を該管内の空間へ自由に出入りさせ、しかもなお、放射線の、正反射表面からの多重反射を可能にするように定められているものであるから、これらの点について記載のない刊行物３の構成を、刊行物１又は刊行物２に記載された発明に適用し訂正発明１を想到することが当業者に容易である、とはいえない。
　したがって、訂正発明１は、刊行物１−４に記載された発明に基いて当業者が容易に発明をすることができたものではない。訂正明細書の請求項２，３に係る発明は、訂正発明１の構成をすべて含み、さらに別の構成を付加するものであるから、刊行物１−４に記載された発明に基いて当業者が容易に発明をすることができたものではない。
　オ、むすび
　以上のとおりであるから、上記訂正は、特許法等の一部を改正する法律（平成６年法律第１１６号）附則第６条第１項の規定によりなお従前の例によるとされる、平成１１年改正前の特許法第１２０条の４第３項において準用する平成６年法律第１１６号による改正前の特許法第１２６条第１項ただし書、第２項及び第３項の規定に適合するので、当該訂正を認める。
（３）特許異議申立てについての判断
　特許異議申立人は、本件特許の請求項１−３に係る発明は、甲第１−４号証刊行物に記載された発明に基いて当業者が容易に発明をすることができたものであるから、本件の請求項１−３に係る発明の特許は、特許法第２９条第２項の規定に違反してされたものであり、取り消されるべきである、と主張している。
　しかしながら、甲第１−４号証には前記（２）エ、（ii）．に記載したとおりの発明が記載されており、訂正請求書により訂正された、本件の請求項１−３に係る発明と甲第１−４号証に記載された発明とを比較すると前記（２）エ、（iii）．に記載したとおりであり、訂正後の本件請求項１−３に係る発明は、甲第１−４号証に記載された発明に基いて当業者が容易に発明をすることができたものではない。
（４）むすび
　したがって、特許異議申立ての理由及び証拠によっては、請求項１−３に係る発明の特許を取り消すことはできない。
　また、ほかに請求項１−３に係る発明の特許を取り消すべき理由を発見しない。
　よって結論のとおり決定する。
【異議決定日】
平成１３年４月２７日（２００１．４．２７）
【訂正の要旨】
訂正の要旨
　１．請求項１の「ガスサンプルの分子を該管内の空間へ自由に出入りさせ」を「
周囲圧の
周囲圧で
　２．請求項１の「少くとも１つの孔」を「複数の孔」と訂正し、「該少くとも１つの孔に半透膜のシートが張設されており」を「該
複数
の各々
　３．請求項１の「その一端に導入された放射線を多重反射させることによって効率的に他端へ導く内向きの正反射表面を「その一端に導入された放射線を多重反射させることによって効率的に
該管内の空間を通して
（５４）【発明の名称】
ガスサンプルチャンバー
【発明の詳細な説明】
技術分野
　本発明は、ガス分析器に関し、特に、ＮＤＩＲ（非分散赤外線）型分析器と称されるタイプのガス分析器に使用するためのガスサンプルチャンバー（単に「サンプルチャンバー」とも称する）に関する。
技術背景
　ＮＤＩＲガス測定法は、古くからガス測定のための最善の方法の１つと考えられいる。ＮＤＩＲ型ガス分析器は、高い識別能力を有することに加えて、非常に感度が高く、安定性及び信頼性が高く、メンテナンスが容易である。ＮＤＩＲガス測定法の主要な欠点は、それを実施するのに必要とされる機器が複雑で高価であることである。
　ＮＤＩＲガス分析器は、一般に、赤外線源と、同期検出を用いることができるように赤外線源を変調するためのモータ駆動による機械的チョッパーと、ガスサンプルをサンプルチャンバーを通して圧送又は吸引するためのポンプと、帯域フィルタと、敏感な赤外線検出器と、赤外線源からの赤外線エネルギーを検出器上に焦点合わせするための高価な赤外線光学器械及びウインドウを備えている。従って、ＮＤＩＲガス測定法は、ガス測定のための最善の方法の１つであることが事実であるにも拘らず、その機器の複雑さと高いコストの故に広範囲に応用されるに至っていない。
　本発明は、ＮＤＩＲガス測定法の所要機器を大幅に簡略化し、その結果としてコストの低減を実現し、それによって、従来はコスト高と複雑さの故に実用的ではないと考えられていたＮＤＩＲガス測定法の多数の応用分野を新たに開くものである。
　例えば、本発明のサンプルチャンバーは、火災の発見に使用するための極めて迅速で敏感な一酸化炭素検出器（本出願人の米国特許第５，５０５３，７５４号）の心臓部に使用することができ、又、屋内の空気中の一酸化炭素の濃度を監視し、その濃度が過度になったとき新鮮な空気を導入することによって屋内空気の汚染を排除するのに役立つ換気制御器（１９９１年６月６日に出願された本出願人の米国特許願第０７／６１１，６３０号に記載されている「ＶＥＮＴＯＳＴＡＴ」と称される換気サーモスタット）の心臓部にも使用することができる。
　本発明による簡略化されたガスサンプルチャンバーは、高価な光学器械、機械的チョッパー、及びガスサンプルをサンプルチャンバーを通して圧送又は吸引するためのポンプを設ける必要性を排除することによってＮＤＩＲガス測定法の複雑さを軽減するための新規な解決法を提供する。更に、本発明のガスサンプルチャンバーは、検出感度を高める長い実効経路長を提供する。
　米国特許第４，７０９，１５０号には、プラスチック又は焼結金属等の多孔質材で形成された管から成るガスサンプルチャンバーが開示されている。同特許は、多孔質材の気孔サイズを０．３〜１００μにすべきであると教示している。しかし、多孔質管の壁を反射放射線案内部材として用いることは、教示されておらず、示唆すらもされていない。この特許においてはガスが凝縮してサンプルセル即ちサンプルチャンバーの内壁面に付着するという問題に目が向けられていないのは、おそらく、多孔質管の壁を反射放射線案内部材として利用することを全く考えていなかったからであろう。
　この特許は、鏡面状反射表面（正反射表面）からの多重反射を教示も、示唆もしていない。このことが同特許のシステムの性能を著しく阻害している。同特許のシステムは、サンプルチャンバーの放射線収集能力を利用しないので、放射線収集能力が非常に低く、従って、ＳＮ比（信号対雑音比）が低い。更に、同特許のシステムは、長い経路長を提供することができず、従って、同システムの感度は本発明のそれに比べて劣る。
　同特許のガスサンプルチャンバー内へのガスの拡散を本発明のそれと比較する場合、同特許のガスサンプルチャンバーの壁に用いられている多孔質材は数百μの厚さを有しているのに対して、本発明においてはガスサンプルチャンバー内へのガスの拡散は２５〜５０μ程度の厚さの半透膜を通して行われることに留意すべきである。従って、同特許においては、ガスがガスサンプルチャンバー内へ拡散するのに要する時間が本発明のそれと比べてはるかに長く、従ってその間にガスの濃度が変化してしまう。このことは、同特許のガスサンプルチャンバーのレスポンス時間を大幅に長くすることになるので、火災探知機として使用するには不適当である。これに対して、本発明のガスサンプルチャンバーは、一酸化炭素の濃度変化に極めて迅速に応答する。実験結果によれば、本発明のガスサンプルチャンバーは、火災探知機に使用するのに非常に望ましい極めて迅速なレスポンス時間を有することが証明された。
　日本出願の特開昭５９−１７３７３４号には、放射線をサンプルセルと基準セルに沿って並列的に進行させるようにした赤外線ガス分析器が開示されている。それらのセルは、螺旋管の形を有している。この特開昭５９−１７３７３４号のシステムは、慣用のＮＤＩＲガス測定システムのカテゴリーに入る。入射放射線がサンプルセル内においても、基準セル内においても多重反射を受けるという事実がなければ、慣用のＮＤＩＲガス測定システムとなんら変わりがなく、従って何の利点もない。同出願のシステムは、やはり従来のものと同様に、機械的なチョッパーと、ガスをサンプルセルと基準セルを通して導くためのポンプと、２つの検出器を必要とする。従って、これらの要素を考慮に入れれば、特開昭５９−１７３７３４号の発明は、簡略性と効率の面で本発明には及ばない。
　日本出願の特開昭６３−２９８０３１号には、フィルタの使用を開示している。同出願のシステムにおいてフィルタが必要とされるのは、放射線源及び検出器がサンプルチャンバー内に配置されており、ガスサンプルによって汚染され易いからである。
　米国特許第４，４９９，３７９号及び４，５０１，９６８号には、サンプルガスをそのガス中の濃度測定すべきガス成分が特有の赤外線を発する温度に保持するために加熱されたサンプルガス容器を備えたガス分析器が開示されている。このガス分析器は、発光原理で作動するものであり、非分散赤外線吸収型分析器ではない。サンプルセルの壁に設けられた加熱器は、サンプルガスをそれから赤外線を放射させるように少くとも１００℃の温度にまで加熱する。この加熱は、ガスのサンプルからの放射線を増大させ、ガスからの放射線に比べてバックグラウンドの放射線を減少させるためであるといわれている。サンプルセルの内壁面は、鏡面であるといわれているが、その理由は説明されていない。ガス自体が等方性の放射線源であるから、サンプルセルの壁が放射線を有効に案内する働きをするとは考えられない。
　米国特許第３，９６６，４３９号には、大気中、工場、発電所、鉱山等に存在する粒子のサンプルを収集するのに使用される、ポンプを備えた流体サンプル採取機が開示されている。この発明は、ガスサンプルの濃度を測定するために放射線をガスサンプルに通すことに関するものであり、従って、この特許のフィルタ装置は本発明の技術分野とは異なる分野に属するものである。
　米国特許第４，９４７，５７８号には、昆虫誘引剤のための放出システムが開示されている。昆虫誘引剤蒸気が膜を通して拡散するようになされている。膜の気孔サイズは昆虫誘引剤の望ましい放出流量に応じて定められるので、この膜の使用は、本発明のそれとは本質的に異る。
発明の開示
　本発明のガスサンプルチャンバーの第１の目的は、放射線源からの放射線をガスサンプルを通して検出器へ能率的に導くための光導パイプとして機能させることである。
　本発明のガスサンプルチャンバーの第２の目的は、煙及び粉塵の粒子が特定のガスの濃度の測定に誤差をもたらさないように、０．１μを越える大きさの煙及び粉塵の粒子を該ガスサンプルチャンバーから選択的に閉め出し、しかもなお、ガスの分子が該ガスサンプルチャンバーに自由に出入りすることができるようにすることである。
　本発明の好ましい実施例によれば、放射線源によって細長いガスサンプルチャンバーの一端に導入される放射線をガスサンプルチャンバーの他端に配置された検出器へ導くための光導パイプとして機能する鏡面状反射表面即ち正反射表面をガスサンプルチャンバーの内向き壁に形成する。
　又、本発明によれば、ガスサンプルチャンバーの壁に孔を穿設し、その孔に、０．１μより大きい粒子がガスサンプルチャンバー内に進入するのを防止するための半透膜の層を張設する。
　本発明の更に他の目的は、ガス又は蒸気がサンプルチャンバーの内向き壁上に凝縮するのを防止することができるようにしたガスサンプルチャンバーを提供することである。
　このために、本発明の好ましい実施例によれば、サンプルチャンバーをその内向き壁上に凝縮する傾向を有するガス又は蒸気の露点より高い温度に保つためにサンプルチャンバーを加熱するための手段を設ける。
図面の簡単な説明
　図１は、本発明によるガス分析器の主要部を示す側面図である。
　図２は、本発明のガスサンプルチャンバー内を通る典型的な放射光線の経路を示す説明図である。
　図３は、本発明の好ましい実施例によるガスサンプルチャンバーの部分断面図である。
実施例
　図１に示されるように、本発明のガスサンプルチャンバー１０を組入れたガス分析器は、放射線源を収容する放射線源チャンバー１２と、放射線検出器（単に「検出器」とも称する）を収容する検出器チャンバー１４を備えている。
　放射線源は、小さな白熱ランプであってよく、放射線は、そのランプから発せられる可視光線及び、又は赤外線であってよい。放射線源チャンバー１２は、特定のガス成分の濃度を測定するために分析すべきガスサンプルを収容するガスサンプルチャンバー１０に接続されている。放射線源チャンバー１２からの放射線は、ガスサンプルチャンバー１０内のガスサンプル内を通り、検出器チャンバー１４内の検出器に投射する。検出器チャンバー１４内の検出器は、それに投射した放射線の強度を表す電気信号を発する。検出器の感度を高めるために、検出器が濃度測定すべき特定のガス成分によって吸収される波長の放射線を主として受取るように検出器の前の光路に狭帯域フィルタを設置することは周知である。検出器によって発せられた電気信号は、電子回路１５へ送られ、電子回路１５によって測定すべき特定のガス成分の濃度を表す信号に変換される。
　図２は、放射線源１６から発せられた代表的な光線１８がとる光路を示す説明図である。光線１８は、ガスサンプルチャンバーの全長に沿って通過する間に多重反射され、最終的に検出器２０に投射する。
　図３は、本発明のガスサンプルチャンバーの部分断面図である。ガスサンプルチャンバーの本体は、内向きの鏡面状反射表面即ち正反射表面２２を有する細長い管２１である。好ましい実施例では、この表面２２は、管２１の壁の一体部分とするが、変型例として、正反射材の層又はコーチングとすることができる。
　管２１の壁には、少くとも１つの孔２４を穿設する。孔２４は、周囲ガスがサンプルチャンバー内に出入りするための出入口を構成する。しかしながら、粉塵や煙の粒子がサンプルチャンバーに自由に進入するのは望ましくない。そのために、孔２４には、０．１μより大きいサイズの粒子を閉め出す半透膜のシート２８を張設する。半透膜のシート２８は、０．１μ未満の粒子についてはその高速度の拡散を可能にするために相当に薄くなければならないので、それを下支えするための支持メッシュ２６の上に載せる。好ましい実施例では、半透膜は、シリコーンゴムで形成する。
　ガスサンプルチャンバーは常にガスで満たされているので、周囲温度が低下すると、サンプルチャンバー内の水蒸気又は他のガスが凝縮して液相になり、検出器２０並びに鏡面状反射表面２２上に小さな液滴として付着するおそれがある。そのような液滴は、サンプルチャンバーの適正な作動にとって必要な正反射を阻害し、従って、測定の誤りを生じる原因となる。
　このような事態の発生を防止するために、好ましい実施例では、ガスサンプルチャンバー１０に加熱器ワイヤ３０と、ガスサンプルチャンバーの壁の温度を測定するサーミスター３２を設ける。加熱器ワイヤ３０及びサーミスター３２は、ガスサンプルチャンバーを所定の設定温度に維持するために周知の態様で作動するサーボである加熱器制御回路３４に接続する。
　以上に説明したように、本発明のガスサンプルチャンバーは、放射線源からの放射線をガスサンプル内を通して検出器へ導く内向きの正反射表面を有する細長い管状部材から成る。粉塵及び煙の粒子は、ガスサンプルチャンバーの管状壁に穿設した孔に張設された半透膜のシートによってガスサンプルチャンバーから閉め出される。ガスサンプルチャンバーの壁は、ガスサンプルチャンバー内のガス成分の凝縮を防止するために加熱することができ、好ましい実施例ではサーボによって所定の設定温度を維持する。
産業上の適用性
　本発明の改良されたガスサンプルチャンバーは、空気中の一酸化炭素濃度を測定するためのセンサーの一構成部品として使用するのに特に適している。本発明のガスサンプルチャンバーを使用すれば、センサーの感度及びレスポンス速度が大幅に改善され、そのようなセンサーを火災の探知機として使用するのを可能にし、一酸化炭素の濃度を制御する換気系統にも使用することを可能にする。
（５７）【特許請求の範囲】
　１．放射線源からの放射線
をガ
　ガス密材料で形成された細長い管から成り、該管は、その一端に導入された放射線を多重反射させることによって効率的に
該管内の空間を通して
複数
複数
周囲圧の
複数
の各々
周囲圧で
　２．前記正反射表面上でガスサンプルが凝縮するのを防止するために該正反射表面をガスサンプルの露点より高い温度に加熱するための加熱手段を有することを特徴とする請求の範囲第１項に記載のガスサンプルチャンバー。
　３．前記所定のサイズは、０．１μであることを特徴とする請求の範囲第１項に記載のガスサンプルチャンバー。